(57)【要約】      （修正有）【課題】夜の操作時、便利であり、同じく、夜、駐車するとき、見にくくて車をぶつけてしまう危険性を防止するとともに、既設のものにも容易に適用可能な散水栓を提供する。【解決手段】化粧管１から上方に突出する操作桿１７上端部にハンドル基底部２１を、さらにその上方にハンドル上蓋部２３を接続し、上記ハンドル上蓋部２３に、上端に太陽電池２７を、その下方にバッテリー２８、回路基板２９、ライト３０等を収容するとともに、少なくともハンドル基底部２１、ハンドル上蓋部２３のいずれかは光透過樹脂製にし、日中、太陽電池２７を通してバッテリー２８に充電し、周囲が暗くなった夜間時に、バッテリー２８からの放電で自動的にハンドル部分が点灯するようにする。【選択図】図１
2005023565.tif 000002
【特許請求の範囲】
【請求項１】
化粧管から上方に突出する操作桿上端部にハンドル基底部を、さらにその上方にハンドル上蓋部を接続し、上記ハンドル上蓋部に、上端に太陽電池を、その下方にバッテリー、回路基板、ライト等を収容するとともに、少なくともハンドル基底部、ハンドル上蓋部のいずれかは光透過樹脂製であることを特徴とした散水栓。
【発明の詳細な説明】
【０００１】
【発明の属する技術分野】
本発明は、庭の散水や車の洗車等に使用する散水栓に関し、特に、水を出し止めするハンドルが夜間、ライトとなる散水栓に関する。
【０００２】
【従来の技術】
従来、建物の入口や周囲の植え込みなどを比較的低い位置で照明するような目的のため、ガーデンライトと称される照明器具がある。例えば、特開平１１−２５９１９号公報の図１１のように直接土に差し込んで使用するもの、あるいはポールをいくつか重ねて一定の高さにして使用するもの等の種類があるが、舗装された家の駐車場には設置するのが大変であり、その様な所には高い位置に電灯を設けるのが普通であろうが、当然電気代がかかる。
【０００３】
そのため、照明を設けないか、あるいは設けても点灯しないところが多く、例えば、夜、散水栓を操作するとき不便であり、あるいは、夜、駐車するとき、散水栓が見にくく、車をぶつけてしまう危険性もあった。
【０００４】
【発明が解決しようとする課題】
本発明は、周囲が暗くなれば、自動的にハンドルを発光させて上記問題を解決し、かつ、ソーラーを利用することにより、電気代がかからず、配線も必要としない、さらに、既設の散水栓にも容易に適用可能な散水栓を提供することを目的とする。
【０００５】
【課題を解決するための手段】
上記課題解決のため本発明の散水栓は、化粧管から上方に突出する操作桿上端部にハンドル基底部を、さらにその上方にハンドル上蓋部を接続し、上記ハンドル上蓋部に、上端に太陽電池を、その下方にバッテリー、回路基板、ライト等を収容するとともに、少なくともハンドル基底部、ハンドル上蓋部のいずれかは光透過樹脂製にし、日中、太陽電池を通してバッテリーに充電し、周囲が暗くなった夜間時に、バッテリーからの放電で自動的にハンドル部分が点灯するようにしたものである。
【０００６】
【発明の実施の形態】
図１に本発明の散水栓の１実施例を示す全体図を、図２にハンドル部分の拡大図を示すが、１は化粧管であり、下方、地中部に流入孔２を、上方、地上部に流出孔３を側壁に穿設し、上端に上蓋４を、下端に底蓋５を装着する。
【０００７】
内部には、一端を流入孔２に位置させて、給水管（図示せず）に接続されるエルボ６と、エルボ６の他端に接続される立上管７と、立上管７の上端に、流出側方部８を流出孔３に位置させて接続される弁箱９を収容しており、弁箱９は、上端にキャップ１０を、上蓋４を固定するように接続し、流出側方部８には、流出継手１１を介して放水口１２をナット１３により回転自在に連結している。
【０００８】
内部には、下方部に上向きの弁座１４を設け、その上方にシリンダ１５を、さらにその上方に作動用雌ねじ１６を形成する。１７は上記作動用雌ねじ１６に螺合される操作桿であり、下端に駒パッキン１８を、その上方部にシリンダ１５を摺動する環状パッキン１９を装着している。操作桿１７と駒パッキン１８部を一体物でなく二つに分離し、落としゴマとして逆流防止弁の役割を果たすようにしても良い。
【０００９】
２０は保温材であり、発泡ウレタン等を充填するのが、耐寒性、立上管７等の固定、耐圧強度の増進等から望ましいが、成型した発泡スチロール等を使用することも可能である。尚、発泡ウレタンは、組んだ後で、下蓋５部分から充填してやればよい。エルボ６、立上管７、弁箱９は樹脂で形成し、接着するとコストが安く付くが、勿論金属製にすることもできる。
【００１０】
ブローチ加工した操作桿１７の上端部に、樹脂製のハンドル基底部２１を回転不能にかみ合わせてビス２２で接続し、ハンドル基底部２１の上方に透明樹脂製のハンドル上蓋部２３を、樹脂の弾力を利用し、ハンドル基底部２１に設けたテーパー爪２４がハンドル上蓋部２３の窓部２５にはまりこんで、容易に離脱しないよう、また、お互いに回転すべりが生じないよう、接続している。
【００１１】
ハンドル上蓋部２３内には、できるだけ全方位から太陽光を取り込めるよう、上端に太陽電池２７と、その下に２本の充電用ニッケルカドミウム電池からなるバッテリー２８、回路基板２９、発光ダイオードを使用したライト３０等を有する箱体３１、および、ライト３０を突出させた箱体３１の下蓋３２を、バッテリー２８等の交換が可能なように、ビス等で固定収容している。下蓋３２およびハンドル基底部２１の上端部３３はメッキを施し、ライト３０の反射板の役割を持たせている。
【００１２】
図３にはハンドル上蓋部２３を上方から見た図を示しており、太陽電池２７と、その下方に、周囲が暗くなったときに点灯させるための光センサー３４が透視できる。光センサー３４は必ずしも必須の構成要件ではなく、タイマーを使用するとか、充電が終了した時点で点灯するようにもできる。
【００１３】
ハンドル上蓋部２３は雨が入らないように上端が閉じられているので、太陽光を充分取り入れるため、透明の樹脂を使用しているが、太陽電池２７を雨が入らないよう密封して露出させれば、ハンドル上蓋部２３は透明である必要はなく、ライト３０の光が透過する程度のものも採用できる。
【００１４】
回路基板２９には、図示しないが、バッテリー２８から太陽電池２７への電気の逆流防止ダイオードを付属しており、さらに、ＯＮ、ＯＦＦ用電源、人が近づいてきたとき、防犯用としてライトが点灯、または点滅する熱線センサー等を必要に応じて取り付けることができる。ライト３０は、少ない電流で輝度が高く、また寿命の長い、発光ダイオードを使用しているが、必ずしもそれに拘るものではない。また、図示しないが、ハンドル上蓋部２３表面は、操作時に滑りにくいよう、凹凸部を設けることが望ましい。
【００１５】
図は通水状態を示しており、エルボ６からの水は、弁座１４と駒パッキン１８の間隙を通り、流出側方部８に連結された放水口１２から放出されている。この時、環状パッキン１９がシリンダ１５に密着しているため、作動用雌ねじ１６側への漏水は生じない。
【００１６】
水を止めるときは、ハンドル２６を回転させ、作動用雌ねじ１６に螺合された操作桿１７を下降させると良く、駒パッキン１８が弁座１４に密着して止水状態となる。勿論、流量調整もハンドル２６で行う。
【００１７】
止水状態では流出側方部８内の水はほぼ放水口１２から排出され、放水口１２内が水で満たされることもない。放水口１２は自由に回転するので、使用上便利であるが、固定式にすることもできる。さらに上下方向の回転でなく、左右方向の回転にすることも可能である。
【００１８】
本発明では、水が充満して残留する部分は保温材２０を入れた化粧管１内に収容し、外気に直接曝される部分は水がほとんど残らない放水口１２のみなので、耐寒性が良く、化粧管１上方にハンドル２６がなく、放水口１の代わりに蛇口を取り付けた従来品のように、気温が０℃以下になる冷えた朝など、蛇口部分が凍結して水が出ず、湯を掛けて解凍しなければならない、という事故を効果的に防止でき、さらに蛇口が側方に長く突出するということがなく、審美性に優れ、車の駐車の邪魔にならない、等の利点がある。
【００１９】
しかし、厳しいマイナス温度が続く北海道等の厳寒地においては、立上管７内の水も凍結する恐れがあるため、立上管内の水を、地中凍結深度以下に埋設された弁箱から地中に排出して凍結を防止する不凍散水栓（図面省略）を使用しなければならず、操作桿１７が化粧管１から突出する構造は同じなので、その場合においても、本発明のハンドル２６はそのまま使用できることは勿論である。
【００２０】
辺りが暗くなったときは、光センサー３４によりライト３０が点灯し、一定時間経過後、太陽電池２７により充電されたバッテリー２８が放電し終えた後、自然に消灯する。点灯時間を長くとるためには、散水栓をできるだけ日当たりの良い場所に設置するとか、太陽電池２７、バッテリー２８を大容量にするとかの工夫が必要であるが、勿論ハンドル２６の大きさには限界がある。しかし、散水栓の性質上、就寝後は点灯する必要はないので、実用的にはさほど大きな問題とならないものである。
【００２１】
既設の散水栓に取り付けるときは、既設の散水栓のハンドルを取り除き、ドライバー等でテーパー爪２４を押圧して窓部２５から内方に押し込んだ状態でハンドル上蓋部２３をハンドル基底部２１から取り外し、操作桿１７にハンドル基底部２１をビス２２で接続して、最後に、ハンドル上蓋部２３を上から押し込むように挿入すると良い。
【００２２】
図４に本発明の他の実施例を示すが、操作桿１７に接続する、光沢を有する金属製反射板３５を回転不能にインサート成型した光透過樹脂製のハンドル基底部２１上端に、露出する太陽電池、その下方のバッテリー、回路基板等を収容し、Ｏリング３６の摩擦力により、容易には離脱しないよう、ハンドル上蓋部２３を押し込み接続する。この時太陽電池は露出しているので、雨水が回路基板部に入り込まないよう、対策を講じる必要がある。ハンドル上蓋部２３下端部は、光の反射率を良くするために、メッキを施すことが望ましい。本実施例は、図１のものに比してハンドル２６がしっかり固定される利点がある。
【００２３】
【発明の効果】
以上のように本発明においては、弁を開閉する操作桿を化粧管から上方に突出させ、その上端に接続されるハンドル部が太陽電池で発光するようにしたので、戸外に設置、使用される散水栓として、寒冷地、非寒冷地を問わず適用可能で、電気代がかからず、配線も不要で、辺りが暗くなれば自動的に発光するため、夜、散水栓を操作するとか、駐車するとき便利であり、太い化粧管の存在で、一定の面積が必要な太陽電池を内蔵するハンドルの大きさが余り気にならず、何よりも、照明装置のない箇所においても、従来設置されている散水栓のハンドルを交換するだけで容易に照明装置を設けることができるという、大きな効果を有するものである。
【図面の簡単な説明】
【図１】本発明の散水栓の１実施例を示す、通水状態における縦断面図である。
【図２】図１のハンドル部分の縦断面図である。
【図３】図２のハンドル部分の平面図である。
【図４】本発明の他の実施例を示す、ハンドル部分の縦断面図である。
【符号の説明】
１・・・化粧管
１７・・・操作桿
２１・・・ハンドル基底部
２３・・・ハンドル上蓋部
２７・・・太陽電池
２８・・・バッテリー
２９・・・回路基板
３０・・・ライト
【図１】
2005023565.tif 000003
【図２】
2005023565.tif 000004
【図３】
2005023565.tif 000005
【図４】
2005023565.tif 000006